(57)【要約】    【課題】  防水性能に優れるとともに構造がシンプル化されて施工性が良いエキスパンションジョイントの構造を提供する。    【解決手段】  既築建物である本体部と、この本体部に隣接して構築され、該本体部の本体外壁部に向って延びる増築外壁部、及びこの増築外壁部の上位に配置されて屋根上バルコニーの手摺を形成する手摺壁部を有する平屋の増築部との接続部に用いるエキスパンションジョイントの構造であって、前記本体部に、増築外壁部及び手摺壁部に向って延びる縦長の第１の水切り板を設けるとともに、前記増築部に、手摺壁部及び増築外壁部から前記第１の水切り板と同高さで本体部に向って延びる第２の水切り板を設け、前記第１の水切り板と第２の水切り板とは、互いに相対移動可能な重なり部を有して配されるとともに、第１の水切り板及び第２の水切り板の内側で、本体外壁部から増築外壁部及び手摺壁部に延びる柔軟性を有する防水シートを設けたことを特徴とする。【選択図】  図１
2006037467.tif 000002
【特許請求の範囲】
【請求項１】
既築建物である本体部と、この本体部に隣接して構築され、該本体部の本体外壁部に向って延びる増築外壁部、及びこの増築外壁部の上位に配置されて屋根上バルコニーの手摺を形成する手摺壁部を有する平屋の増築部との接続部に用いるエキスパンションジョイントの構造であって、
前記本体部に、増築外壁部及び手摺壁部に向って延びる縦長の第１の水切り板を設けるとともに、前記増築部に、手摺壁部及び増築外壁部から前記第１の水切り板と同高さで本体部に向って延びる第２の水切り板を設け、
前記第１の水切り板と第２の水切り板とは、互いに相対移動可能な重なり部を有して配されるとともに、第１の水切り板及び第２の水切り板の内側で、本体外壁部から増築外壁部及び手摺壁部に延びる柔軟性を有する防水シートを設けたことを特徴とするエキスパンションジョイントの構造。
【請求項２】
前記防水シートは、上部からの雨水浸入の防止のため、手摺壁部の下地部とともにその上部に防水キャップが被せられたことを特徴とする請求項１記載のエキスパンションジョイントの構造。
【請求項３】
前記第１の水切り板は、増築外壁部の表面に平行な主板部と、この主板部の基部で直角に折れ曲がる取付部と、前記主板部及び取付部の連続箇所で内側に凹んだ段部とを有して断面略Ｌ字状をなし、
前記段部と、本体外壁部とで形成される溝部にシーリング材が充填されることを特徴とする請求項１又は２記載のエキスパンションジョイントの構造。
【請求項４】
前記防水シートは、一方の側部を、本体外壁部に固着された断面矩形状の下地桟と該本体外壁部とで挟着することにより取り付けられ、
前記手摺壁部は、その内側の壁板が前記下地桟により固着されることを特徴とする請求項１〜３のいずれかに記載のエキスパンションジョイントの構造。
【発明の詳細な説明】
【技術分野】
【０００１】
本発明は、既築建物である本体部と、この本体部に隣接して構築される平屋の増築部との接続部に用いるエキスパンションジョイントの構造に関する。
【背景技術】
【０００２】
既築建物である本体部に増築部を建増しする増築工法において、本体部と増築部とを一体化すると、地震発生時双方の構造体が別々に挙動することから、接合部に亀裂を生じて外観を損ない易く、また接合部に大きな応力を発生させて耐震性能上不利な構造となる。
【０００３】
そこで、本体部と増築部との間に隙間を設けることにより構造上分離し、かつ本体部と増築部との接続部に、地震時に生じる異なる挙動を吸収しうるエキスパンションジョイントを採用する工法が提案されている（例えば、特許文献１参照）。
【０００４】
【特許文献１】特開２００３−９６９９８号公報
【発明の開示】
【発明が解決しようとする課題】
【０００５】
しかしながら、従来のエキスパンションジョイント工法では、本体部の外壁と増築部の外壁、或いは本体部の上階外壁と平屋増築部の屋根などのように、本体部と増築部の向合う部位毎に別々の構造として設計され、個別に施工している。従って、本体部の一階外壁と増築部の一階外壁との接続部、及び本体部の二階外壁と平屋増築部の屋根上バルコニーの手摺壁との接続部は、各々異なる形態となるため、上下の接続部の連続箇所において複雑な雨仕舞が要求され、その結果雨漏れの恐れがあるとともに施工性を低下させるという問題があった。
【０００６】
本発明は、本体部に縦長の第１の水切り板を設けるとともに、前記増築部に手摺壁部及び増築外壁部から本体部に向って延びる第２の水切り板を設け、前記第１の水切り板と第２の水切り板とは重なり部を有して配されるとともに、第１の水切り板及び第２の水切り板の内側で、増築外壁部から増築外壁部に延びる柔軟性を有する防水シートを設けることを基本とし、防水性能に優れるとともに構造がシンプル化されて施工性が良いエキスパンションジョイントの構造の提供を課題としている。
【課題を解決するための手段】
【０００７】
前記目的を達成するために、請求項１に係る発明は、既築建物である本体部と、この本体部に隣接して構築され、該本体部の本体外壁部に向って延びる増築外壁部、及びこの増築外壁部の上位に配置されて屋根上バルコニーの手摺を形成する手摺壁部を有する平屋の増築部との接続部に用いるエキスパンションジョイントの構造であって、前記本体部に、増築外壁部及び手摺壁部に向って延びる縦長の第１の水切り板を設けるとともに、前記増築部に、手摺壁部及び増築外壁部から前記第１の水切り板と同高さで本体部に向って延びる第２の水切り板を設け、前記第１の水切り板と第２の水切り板とは、互いに相対移動可能な重なり部を有して配されるとともに、第１の水切り板及び第２の水切り板の内側で、本体外壁部から増築外壁部及び手摺壁部に延びる柔軟性を有する防水シートを設けたことを特徴とする。
【０００８】
請求項２に係る発明では、前記防水シートは、上部からの雨水浸入の防止のため、手摺壁部の下地材とともにその上部に防水キャップが被せられ、また請求項３に係る発明は、前記第１の水切り板は、増築外壁部の表面に平行な主板部と、この主板部の基部で直角に折れ曲がる取付部と、前記主板部及び取付部の連続箇所で内側に凹んだ段部とを有して断面略Ｌ字状をなし、前記段部と、本体外壁部とで形成される溝部にシーリング材が充填されることを特徴とする。
【０００９】
また請求項４に係る発明は、前記防水シートは、一方の側部を、本体外壁部に固着された断面矩形状の下地桟と該本体外壁部とで挟着することにより取り付けられ、前記手摺壁部は、その内側の壁板が前記下地桟により固着されることを特徴とする請求項１〜３のいずれかに記載のエキスパンションジョイントの構造である。
【発明の効果】
【００１０】
請求項１に係る発明では、第１の水切り板、第２の水切り板、及び防水シートが、手摺壁部から増築外壁部に亘って上下に連続することから防水性能に優れ、構造がシンプルであるため施工性が良い。また重なり部を有して配される第１の水切り板と第２の水切り板とは、相対移動が可能であるため、地震時に本体部、増築部の異なる挙動をスムースに吸収でき、クラックなどを発生させない。さらに第１の水切り板及び第２の水切り板の内側に配された防水シートにより二重防水され、雨水の浸入が防止される。
【００１１】
請求項２に係る発明のように、防水シート上部、及び手摺壁部の下地部に防水キャップが被せられると、水密性の弱点である手摺壁上部からの浸水が防止され、また請求項３に係る発明のように構成することにより、本体外壁部と第１の水切り板との間の水密性が向上する。
【００１２】
また請求項４に係る発明のように構成することにより、防水シートと、手摺壁部の内側の壁板とが同じ下地桟を用いて固着できるため、使用部材を減じて構造がシンプル化され、施工性を向上できる。
【発明を実施するための最良の形態】
【００１３】
以下、本発明の実施の一形態を、図示例とともに説明する。図１に示すように、エキスパンションジョイントの構造１は、既築建物である本体部２と平屋の増築部６との接続部Ｓに形成され、本体部２に設けられる第１の水切り板７と、増築部６に設けられる第２の水切り板８と、この第１の水切り板７及び第２の水切り板８の内側に設けられる防水シート１０とを具える。
【００１４】
前記本体部２は、図３に示すように、二階建てを含む多層階建物であり、本形態では、専用金物を用いて基礎２１の上に外壁パネルＰ１を左右に連続して取付けるとともに、さらに上方へも外壁パネルＰ１を接合して構築した、壁構造の建物が例示される。前記外壁パネルＰ１は、例えば、内側に向く断面コ字状の上下の横枠材の両端部と、左右に配された内側に向く断面コ字状の縦枠材の上下端部とを固着して矩形状に形成された周囲枠と、この周囲枠の内側に架け渡された縦又は横の補強桟とかなる鋼製のパネルフレームの両面に、外装板と内装下地板とを貼着して形成される。そして、外壁出隅部に断面Ｌ字状の柱カバー２２が、そして上下の外壁パネルＰ１、Ｐ１間に幕板２３が、各々装着されて外壁を形成している。なお本体部２は、これ以外に鋼製の柱、梁を組立てた構造躯体に非耐力壁パネルを取付けて構築したラーメン構造、ＲＣ構造、木造軸組み構造、ツーバイフォー構造などの建物でもよい。
【００１５】
前記増築部６は、前記の如く平屋建てであり、前記本体部２の本体外壁部３に隣接して構築され、しかも本体部２に隣接した屋根上バルコニーＢを具える。なお本明細書では、前記本体部２の外壁であって、該増築部６と向合う部分を本体外壁部３といい、また増築部６の外壁であって、前記本体外壁部３に向って、略直角に延びる部分を増築外壁部４という。前記増築外壁部４は、本形態では、増築部６の基礎２４に図示されないアンカーボルトを介して固着された鋼製の柱２５と、この柱２５に支持された断面Ｈ字状軽量鉄骨製の梁２６と、この梁２６及び基礎２４の間に取付具２７により固着された非耐力パネルＰ２とを含み構成されたものを例示している。なお前記柱２５は、上端部に前記梁２６と同高さで本体外壁部３に向く片持梁３２が取付けられ、上部に断面コ字状の水平継ぎ材３３を有するバルコニー支柱３４が固着されている。また前記非耐力パネルＰ２は、矩形状をなす木製のパネルフレーム２８の両面に、外装板２９と内装下地板３０とを貼着し、内部にグラスウールなど断熱材３１が充填される。また前記増築部６は、図１２に示すように、増築外壁部４の上位に、前記屋根上バルコニーＢの手摺となる手摺壁部５が設けられ、この手摺壁部５および増築外壁部４は、前記柱２５から本体外壁部３に向けて延長して形成された本体外壁部３との接続部Ｓを有する。
【００１６】
前記第１の水切り板７は、図３、４に示すように、増築外壁部４下端から手摺壁部５上端に至る長さを有する縦長の長尺材であり、本形態では図５に示すように、増築外壁部４の表面に平行な主板部７Ａと、この主板部７Ａの基部で直角折曲がり本体外壁部３の表面と平行な取付部７Ｂと、主板部７Ａ及び取付部７Ｂの連続箇所に形成され、内側に凹んだ段部７Ｃとを有して断面略Ｌ字状をなす。また主板部７Ａの端部には、補強のため外側に折れ曲がる折曲片５４が形成される。
【００１７】
前記第１の水切り板７は、その取付部７Ｂがビスなど固着具３５により本体外壁部３の柱カバー２２に固着され、これにより主板部７Ａの先端が、増築外壁部４及び手摺壁部５に向って延びる。そして図２に示すように、前記段部７Ｃと柱カバー２２とで形成される溝部にシーリング材１４が充填され、これにより本体外壁部３と第１の水切り板７との間の水密性を向上している。
【００１８】
前記第１の水切り板７は、厚さが例えば０．３〜１．２ｍｍ程度であり、主板部７Ａの巾寸法は例えば３５〜１５０ｍｍ程度に形成され、また取付部７Ｂの巾は例えば２０〜９０ｍｍ程度、段部７Ｃはその一辺を５〜２０ｍｍ程度の大きさとすることが好ましい。なお、第１の水切り板７は、大同板製のガルバニウム鋼板（登録商標）、川鉄製のリバーガルファン（登録商標）などの溶融亜鉛合金めっき鋼板を始め、電気亜鉛めっき鋼板、特殊塗装鋼板その他を用いることができる。
【００１９】
また前記第２の水切り板８は、図１、１１に示すように、第１の水切り板７と略同じ上下長さを有し、増築外壁部４の表面に平行な縦長の長尺板材であり、本形態では、図２に示すように、基板部３６とこの基板部３６の本体外壁部３側の端部を外方に向け直角に折曲げるとともに１８０度折返して形成した端片３７とからなる。この端片３７は、縦方向の細帯状をなし、その略中心線部分で基板部３６と連続する。
【００２０】
前記第２の水切り板８は、図１１に示すように、基板部３６が増築外壁部４の外壁下地板３８及び手摺壁部５の手摺下地板３９に図示されないビスなどの固着具を用いて、前記第１の水切り板７と同じ高さで固着される。このとき本体外壁部３に向って延びる第２の水切り板８の先端は、前記第１の水切り板７に屋外側に相対移動可能に重なって配置され、この二重箇所によって重なり部９が形成される。さらにこの重なり部９では、図２に示すように、第２の水切り板８の端片３７の内端が第１の水切り板７の主板部７Ａの外面に当接し、かつ第２の水切り板８の端片３７の内側に装着された水密材４０が主板部７Ａの外面に圧接され、これにより第１、第２の水切り板７、８間は高い水密性能が維持されるとともに相対移動が自在であり、地震時の本体部２と増築部６の挙動の違いを吸収して外壁面の割れなどの破損が防止される。なお前記相対移動の中で、第１、第２の水切り板７、８の面方向の移動、及びこれに直行しかつ第１、第２の水切り板７、８が離れる動きは自在に許容され、相互に近づく動きは第１、第２の水切り板７、８が曲げ変形により吸収しうる範囲において許容される。また、前記第１、第２の水切り板７、８は増築外壁部４と手摺壁部５とに連続して形成されるため、上下階層で継ぎ目のないエキスパンションジョイントが構成され、その結果防水機能の信頼性が高く、施工性に優れる。
【００２１】
なお第２の水切り板８は、厚さが例えば０．３〜１．２ｍｍ程度であり、基板部３６の巾寸法は例えば１００〜４００ｍｍ程度に形成され、第１の水切り板７と同様の鋼板を用い成形される。また前記水密材４０には、エチレンプロピレンゴム（ＥＤＰＭ）、クロロプレンゴム（ＣＲ）、エチレン酢ビ共重合樹脂（ＥＶＡ）等を用いる。
【００２２】
前記防水シート１０は、図３に示すように、本体外壁部３から増築部６の柱２５に至る巾を有し、増築外壁部４下端から手摺壁部５上端に至る長さで上下に延びる帯状をなす。そしてその本体部２に近い側部を、ビスなど固着具４１により本体外壁部３の柱カバー２２に固着される断面矩形状の下地桟１５と、柱カバー２２とで挟着することにより取付けられ、前記第１、第２の水切り板７、８の内側を増築外壁部４及び手摺壁部５側に延びるとともに第２の水切り板８と外壁下地板３８及び手摺下地板３９との間に挟まれて固定される。このように防水シート１０により、第１、第２の水切り板７、８の内側に防水層が形成されるため、本体部２と増築部６との接続部Ｓに、第１、第２の水切り板７、８及び防水シート１０による二重防水が構築され水密性能が向上する。しかもこの防水シート１０は、柔軟性を具えるため前記接続部Ｓの動きに追従でき、さらに増築外壁部４下端から手摺壁部５上端に亘り継ぎ目なく設けられるため雨漏れすることがなく、施工を簡単に行うことができる。
【００２３】
前記防水シート１０は、厚さが例えば０．３〜３．０ｍｍ程度、巾寸法が例えば２００〜６００ｍｍ程度の大きさのものを使用し、加硫ゴム系シート、非加硫ゴム系シート、塩化ビニル樹脂系シート、エチレン酢酸ビニル樹脂系シート、熱可塑性エラストマー系シートなどを用いることができる。
【００２４】
前記防水シート１０の上部は、図９に示すように、前記バルコニー支柱３４の水平継ぎ材３３、手摺下地板３９を含む手摺壁部５の下地部１１とともに防水キャップ１２で覆われる。この防水キャップ１２は、図１０に示すように、基部１２Ａと、この基部１２Ａに上部及び本体外壁部３側の二辺で連続し、かつ基部１２Ａよりも高さ寸法が小さい前覆い１２Ｂとからなり、基部１２Ａと前覆い１２Ｂとは、下部及び本体外壁部３の反対側が分離しているため、前記防水シート１０及び下地部１１に対して上から被せて、取り付けられる。このように、防水シート１０の上部が防水キャップ１２で覆われるため、手摺壁部５上部からの浸水が有効に防止される。
【００２５】
また前記防水シート１０を固着した下地桟１５には、図２に示すように、手摺壁部５の内側の壁板１６の端部が図示されないビスなどの固着具により固着される。このように本形態では、一つの下地桟１５に対して防水シート１０及び前記壁板１６が固定されるため、施工性に優れる点で好ましい。
【００２６】
次に、エキスパンションジョイントの構造１の施工方法を、手摺壁部５の構築を含め説明する。先ず、図３、５に示すように、防水シート１０の側部を本体外壁部３の柱カバー２との間で挟着した下地桟１５を、固着具４１を用いて柱カバー２２に固着することにより、防水シート１０の側部を取付ける。なお下地桟１５は、前記片持梁３２を回避するため、上下に分離している。この防水シート１０に隣接して、第１の水切り板７の取付部７Ｂを、固着具３５を用い柱カバー２２に固着する。
【００２７】
次に図６、７に示すように、バルコニー支柱３４の水平継ぎ材３３の上に、第１の笠木下地４６と第２の笠木下地４７を固着し、前記梁２６とバルコニー支柱３４の水平継ぎ材３３との間に手摺壁部５を構成する手摺パネル４２を取付け、前記片持梁３２と水平継ぎ材３３との間に、手摺壁部５の接続部Ｓを構成する略横コ字状の手摺下地枠４３を取り付ける。さらに前記本体部２の基礎２１と増築部６の基礎２４との間に形成された繋ぎ基礎４４及び片持梁３２の間に増築外壁部４の接続部Ｓを構成する縦長矩形枠状の外壁下地枠４５を取り付ける。このとき、作業スペース確保のため、防水シート１０を予め裏返して粘着テープなどで仮止めしておく。
【００２８】
次に図８に示すように、前記外壁下地枠４５の上に、縦長矩形板状の外壁下地板３８を、前記手摺下地枠４３及び第２の笠木下地４７の上に手摺下地板３９を、各々固着具、接着などを用いて固着する。なお外壁下地板３８及び手摺下地板３９は、厚さが例えば１２ｍｍ程度の耐水合板その他を用いる。そして、図９に示すように、前記防水シート１０を外壁下地板３８及び手摺下地板３９の上に重ね合わせ、バルコニー支柱３４の水平継ぎ材３３、第２の笠木下地４７、手摺下地板３９を含む前記下地部１１及び防水シート１０の上部に図１０に示される防水キャップ１２を被せる。なおこのとき前記下地桟１５の上部は、一時的に柱カバー２２に対する固着を外し、防水キャップ１２装着後再度固着する。さらに、防水キャップ１２の本体外壁部３側の上部、両側部における、防水キャップ１２と柱カバー２２との継ぎ目をシーリング材で封止して、防水性向上を図る。
【００２９】
次に図１１に示すように、第２の水切り板８を前記防水シート１０および上部では防水キャップ１２の外表面を覆って配置するとともに、図示されないビスなど固着具を用いて前記外壁下地板３８及び手摺下地板３９に固着する。このとき第２の水切り板８の前記端片３７は、図２に示すように、第１の水切り板７の外表面に当接する。
【００３０】
次に図１２に示すように、外壁外装板４８、幕板４９、及び腰壁外装板５０を前記第２の水切り板８の外表面を覆って配置するとともに、固着具を用いて前記外壁下地板３８及び手摺下地板３９に固着する。このとき図２に示すように、外壁外装板４８、幕板４９、及び腰壁外装板５０の本体外壁部３側端部を、第２の水切り板８の端片３７との間に例えば５〜２０ｍｍ程度の間隔を隔てて配置し、形成される溝にシーリング材５１を充填して水密性を確保する。
【００３１】
次に、増築部６の柱２５及びバルコニー支柱３４を覆う柱カバー５２を取付けるとともに、非耐力パネルＰ２と手摺パネル４２との間に横長の主幕板５３を固着する。また手摺壁部５の接続部Ｓの内側には、図３に示すように、前記下地桟１５及び手摺下地枠４３に壁板１６を固着する。更に図１２に示すように、第１、第２の笠木下地４６、４７の上から断面横コ字状の化粧笠木カバー５４を冠着して、手摺壁部５上部の防水、化粧仕上げを行う。
【図面の簡単な説明】
【００３２】
【図１】本発明の一実施の形態を例示する断面図である。
【図２】その要部拡大図である。
【図３】施工方法を説明し、防水カバー、第１の水切り板の取付け工程を例示する斜視図である。
【図４】防水カバー、第１の水切り板が取付けられた状態を例示する斜視図である。
【図５】そのＡ−Ａ断面図である。
【図６】手摺パネル、手摺下地枠、外壁下地枠の取付け工程を例示する斜視図である。
【図７】手摺パネル、手摺下地枠、外壁下地枠が取付けられた状態を例示する斜視図である。
【図８】外壁下地板、手摺下地板の取付け工程を例示する斜視図である。
【図９】防水キャップの取付け工程を例示する斜視図である。
【図１０】防水キャップの斜視図である。
【図１１】第２の水切り板の取付け工程を例示する斜視図である。
【図１２】外壁外装板、幕板、及び腰壁外装板の取付け工程を例示する斜視図である。
【符号の説明】
【００３３】
１      エキスパンションジョイントの構造
２      本体部
３      本体外壁部
４      増築外壁部
５      手摺壁部
６      増築部
７      第１の水切り板
７Ａ    主板部
７Ｂ    取付部
７Ｃ    段部
８      第２の水切り板
９      重なり部
１０      防水シート
１１      下地材
１２      防水キャップ
１３      溝部
１４      シーリング材
１５      下地桟
１６      壁板
Ｂ      屋上バルコニー
Ｓ      接続部
【図１】
2006037467.tif 000003
【図２】
2006037467.tif 000004
【図３】
2006037467.tif 000005
【図４】
2006037467.tif 000006
【図５】
2006037467.tif 000007
【図６】
2006037467.tif 000008
【図７】
2006037467.tif 000009
【図８】
2006037467.tif 000010
【図９】
2006037467.tif 000011
【図１０】
2006037467.tif 000012
【図１１】
2006037467.tif 000013
【図１２】
2006037467.tif 000014